(57)【要約】【課題】  本発明は、間口寸法の減少を最小限にとどめながら、極めて妥当な施工コストで化粧効果を挙げることができる門柱構造体の開発を技術課題とした。【解決手段】  本発明の門柱構造体Ｐは、門柱本体１に塀端受入部１２が設けられて成り、この塀端受入部１２は、少なくとも門柱本体１の間口面１５と反対の面が開放された上下方向に連続する空間として形成されたものであり、且つその受入寸法は、門柱本体１の化粧幅寸法の５０％以上であることを特徴とするものである。【選択図】図１
2008106581.tif 000002
【特許請求の範囲】
【請求項１】
門柱本体に塀端受入部が設けられて成り、この塀端受入部は、少なくとも門柱本体の間口面と反対の面が開放された上下方向に連続する空間として形成されたものであり、且つその受入寸法は、門柱本体の化粧幅寸法の５０％以上であることを特徴とする門柱構造体。
【請求項２】
前記塀端受入部における受入寸法は、門柱本体の化粧幅寸法の７５％以上であることを特徴とする請求項１記載の門柱構造体。
【請求項３】
前記門柱本体における枠柱体は、芯柱体と化粧側板とにより構成されていることを特徴とする請求項１または２記載の門柱構造体。
【請求項４】
前記門柱本体が塀端部に外嵌めされることにより、塀の自立強度により門柱本体が自立設置されることを特徴とする請求項１、２または３記載の門柱構造体。
【発明の詳細な説明】
【技術分野】
【０００１】
本発明は、門柱の構造に関するものであって、特に塀と連続させて形成させることが適切な門柱構造体に係るものである。
【背景技術】
【０００２】
例えば住宅敷地に入る門の間口を、所有車両の増加、置き換え等の要因で拡幅する必要がしばしば生じる。このような場合、門柱に連続したブロック塀が設けられているときには、改装する間口寸法が十分確保できるまで門柱と既存のブロック塀とを取り除くような改修工事が行われている。このような改修作業の場合には、ブロック塀の切除端において希望する間口寸法を確保するものであり、結果的にブロック塀の切り離し塀端部は、せいぜいモルタル塗工等による化粧ないしは修復仕上げ処理しかなされていない場合も少なくない。
【０００３】
このため、意匠的な面では満足できない一方、意匠効果を上げるべく端部に従来手法の門柱を設けようとした場合には、門柱の幅寸法分だけ間口が狭くなり、結果的に本来の必要な間口寸法が確保できなくなる。すなわち、図１３に示すように間口寸法Ｗが、ブロック塀間の所要間口寸法Ｗ１で確保されたとすると、例えば一定寸法の角柱状の門柱を設けようとした場合、既存手法の門柱を増設することによる実効間口寸法Ｗ３は、所要間口寸法Ｗ１より狭くなり、本来必要な所要間口寸法Ｗ１が確保できなくなる。もちろん再度工事を行い、あらためて門柱の設置を前提とした拡幅を行えばいいが、もともと改装に予定されたコストを倍加させるような工事は、施主側としては発注し得ないのが実情である。
【０００４】
加えて従来手法の門柱形成によれば、手軽にこれを取り付けたりすることが難しかった。すなわち従来は、門柱自体を独立の構造物として意識しているから、基礎を充分に施工し、その上に自立強度を充分に有する門柱を支持させるという手法を持っていた。このため施工にも手間を要することは免れ得ない。
【発明の開示】
【発明が解決しようとする課題】
【０００５】
本発明は、このような背景を考慮してなされたものであって、間口寸法の減少を最小限にとどめながら、極めて妥当な施工コストで化粧効果を挙げることができる門柱構造体の開発を試みたものである。
【課題を解決するための手段】
【０００６】
請求項１記載の門柱構造体は、門柱本体に塀端受入部が設けられて成り、この塀端受入部は、少なくとも門柱本体の間口面と反対の面が開放された上下方向に連続する空間として形成されたものであり、且つその受入寸法は、門柱本体の化粧幅寸法の５０％以上であることを特徴として成るものである。
【０００７】
請求項２記載記載の門柱構造体は、前記請求項１記載の要件に加え、前記塀端受入部における受入寸法については、門柱本体の化粧幅寸法の７５％以上であることを特徴として成るものである。
【０００８】
請求項３記載記載の門柱構造体は、前記請求項１、２記載の要件に加え、前記門柱本体における枠柱体については、芯柱体と化粧側板とにより構成されていることを特徴として成るものである。
【０００９】
請求項４記載記載の門柱構造体は、前記請求項１、２または３記載の要件に加え、前記門柱本体が塀端部に外嵌めされることにより、塀の自立強度により門柱本体が自立設置されることを特徴として成るものである。
【発明の効果】
【００１０】
請求項１または４記載の発明によれば、門柱構造体の主要部材である門柱本体を既存の塀に対し嵌め込むようにしたものであるから、塀端部から間口側への張出寸法が少なく、間口寸法の減少を少なくとどめながら、化粧効果を発揮することができる。
また門柱本体を既存のブロック塀等に挟み込む方式であるから、これを強度メンバとすることができ、従って門柱構造体自体の自立強度維持のための基礎施工を簡略化し得る。
【００１１】
更に請求項２記載の発明によれば、門柱本体の塀に対する嵌まり込み深さが十分に確保でき、更に設置時の安定性と強度とが十分に確保でき、且つ間口寸法の減少もより少なく抑えることができる。
【００１２】
更に請求項３記載の発明によれば、門柱本体を構成する枠柱体を芯柱体と化粧側板との二層構造としたものであるから、いわば部材がモジュール化されデザイン的なバリエーションがとりやすく、また施工現場のブロック塀寸法等の関連部材の寸法如何にかかわらず容易に対応することができる。
【発明を実施するための最良の形態】
【００１３】
本発明を実施するための最良の形態は、以下述べる実施例をその一つとするものであると共に、この技術思想に基づき種々の改良がされた実施例も含まれるものである。
【実施例】
【００１４】
以下本発明を図示の実施例に基づいて説明する。
まず符号Ｐは本発明たる門柱構造体であって、このものは、門柱本体１を主要部材とし、更に意匠効果を高めるためにその上部に柱頭体２を設けるとともに、更に基礎部分には台座３を設ける。この門柱構造体Ｐは、適宜のブロック塀等の塀５の塀端部５２に接続されるようにして設置される。
【００１５】
まず門柱本体１は、水平断面状態で一例としてコ字状を成す枠本体１１と、この枠本体１１に対しその中央の空間である塀端受入部１２を具えた構造をとる。
枠本体１１は、一例として芯柱体１１Ａと化粧側板１１Ｂとの二層構造とすることが望ましく、例えば芯柱体１１Ａは、軽量発砲コンクリート等で構成し、更に化粧側板１１Ｂは適宜の石材もしくは焼成石材、人工石材などを組み合わせて構成させる。
そして、化粧側板１１Ｂが特に意匠効果を高めるものであり、化粧側板１１Ｂの表面は、適宜のレンガ状、タイル状を呈するような外観モチーフを採用することが可能である。
因みに図１に示す実施例の化粧側板１１Ｂは、一定幅で面取りされた板状素材をスミ角４５度で切り離して額縁状に構成したものであり、中央凹部１１Ｃは、例えば芯柱体１１Ａの外面が露見するような形態をとってもよい。
この門柱本体１は、例えば設置する塀５の高さ寸法より高めに設置することが好ましく、そのため塀端受入部１２の上方部分は、そのままでは開放状態が露見できるので、閉鎖側板１３を用い、その開放部を閉鎖するようにして意匠的な効果を高める。
【００１６】
前記塀端受入部１２は、図４に示すようにその受入寸法Ｇを門柱構造体Ｐの化粧幅寸法Ｄに対し少なくとも５０％以上、好ましくは７５％程度に深く形成する。もちろん、論理的には５０％、７５％以上と表示した場合は、１００％を含むものであり、いわば塀端受入部１２が化粧幅寸法Ｄと合致してしまう場合も含む。すなわち、塀端受入部１２の受入寸法Ｇが化粧幅寸法Ｄと合致する（１００％）場合、門柱本体１があたかも塀５の間口面１５に対して貼り付けられたような状態であるが、このような状態であっても化粧効果が維持できる範囲で採用し得るものである。もちろんこのような場合には、塀５における塀本体５１の塀端部５２の端面は、モルタル塗工等による十分な化粧仕上げをすることが好ましい。
【００１７】
次にこのような門柱本体１に対して設ける他の化粧部材について説明する。
まず柱頭体２は、門柱本体１の上端に設けられるものであって、このものは、門柱本体１における上端切り離し端を閉鎖する柱頭基板２１と、その上方に重ねるように取り付けられる柱頭胴枠２２と、更にその上部に重ねられて屋根状の柱頭頂板２３とにより構成される。もちろん、これらが型枠形成などにより一体的に構成されたものであって差し支えない。なお柱頭体２は、図５に示すように柱頭胴枠２２の部位に窓部２２Ａを開口させ、その内部に門灯２５等を納め、照明効果を得るようにしてもよい。もちろんこの窓部２２Ａに対して、いわゆる行灯タイプの表札を具えるようにしてもよい。
【００１８】
更に門柱本体１の下端に設けられる化粧部材である台座３について説明する。このものは、礎台板３１とその上に重ねられる化粧縁３２とを一例として具えるものであり、これらはともに前記門柱本体１と同様塀５に外嵌めされるべく、台座３に塀端受入部３３を形成するものであり、結果的に全体として平面視コの字型に構成されるものである。もちろん、このものにおける受入寸法Ｇについても、前記門柱本体１に対応するものとすることが好ましい。
【００１９】
本発明は、以上述べたような具体的な構成を有するものであり、既存のブロック塀等に対して次のように施工を行う。
まず既存の塀５の端部に対し、塀端部５２の周辺の地盤面を平滑に均す。この作業は、単に平滑に均すだけであって、基礎堀り作業を要しない。次いで、この地盤面上に台座３の礎台板３１と化粧縁３２とを積み重ねるようにして設ける。
この時当然ながら、塀端受入部３３は、塀端部５２の下端近くに嵌め込まれるように設置される。もちろんその設置状態を確実にするために、設置部位がコンクリート仕上げ等となっている場合には、アンカーナット等を設けビス留めするなどを施しても差し支えない。一般的には、次に述べる門柱本体１の固定と同様にいわゆるコンクリート用接着剤等で固定するだけでよい。
【００２０】
次にこの状態で、台座３の上に門柱本体１を組み合わせる。
門柱本体１が既にユニット化されている場合であっても内部がいわば刳り抜かれたような形状であるから、重量はそれ程ではなく、充分手作業により門柱本体１における塀端受入部１２を塀５の塀端部５２に嵌め込みながら台座３に設置することが可能である。
そして更に、門柱本体１の上に柱頭体２を被せるように設けるものであり、柱頭基板２１、柱頭胴枠２２、柱頭頂板２３とが別体の場合には、それぞれを積み合わせるようにして設置する。もちろん、それらの間にコンクリート用接着剤などを塗布しておく。
【００２１】
またこのように施工した後も前記門柱本体１は、幾分か塀５より高く寸法設定されることが意匠効果を高めることから、塀端受入部１２の上端側は、その空隙が露見した状態となっている。このため、例えば塀５にその天板の化粧作用を担う笠木５３等を設けたのち、更に残余の塀端受入部１２の目視部を塞ぐように閉鎖側板１３をあてがうように設ける。
このように設置する結果、図７に示すように完成後の実効間口寸法Ｗ２は、所要間口寸法Ｗ１の寸法をそれほど狭めることなく門柱が形成された状態となる。そして門柱構造体Ｐ自体は、塀５自体の自立強度に支えられて自立するものであり、十分な強度を発揮する。因みに前記塀５の笠木５３については断面を図８に示すように左右の両端縁部に補強用の鉄筋５３Ａを配しておくことが好ましい。これによって、笠木５３を適用したときに、更に塀５の強度向上が図り得る。実際には笠木５３の形材に鉄筋５３Ａを挿入できる穴が予め開けられたものが用意され必要に応じ鉄筋５３Ａを挿入して用いる。
【００２２】
〔他の実施例〕
本発明は以上述べた実施の形態を一つの基本的な技術思想とするものであるが、更に以下述べるような種々の他の実施例が挙げられる。
まず図９に示す実施例は、門柱本体１が更に分断されたような形状を持つものであり、枠本体１１自体が極めて扁平な形状を有し、塀端受入部１２が浅い状態であるが、少なくとも外側からの目視面に更に補助化粧板１６をあてがって、実質的に受入寸法Ｇを十分深く確保するものである。
【００２３】
また図１０に示す実施例は、門柱本体１における枠柱体１１については、コの字状断面を具えずに、断面Ｌ字型の部材が完成時において対向的に組み合わされてコの字状を成すように構成されたものである。もちろんこの場合において、芯柱体１１Ａに相当するスペーサ（このものも符号１１Ａと示す）を設けてもよい。
【００２４】
更に他の実施例として、図１１、図１２に開示したものが存在する。このものは、門柱本体１を全体として、塀５の長手方向から見て逆Ｌ字状に構成したものであり、門柱本体１は、柱頭体２を一体にしたような形態をとっている。またこの場合、門が設けられる邸内側からの化粧を必要としない場合、邸内側の枠本体１１が設けられないような形態であってもよい。更にこの実施例では、例えば外部側から目視される枠柱体１１の化粧側板１１Ｂに対し、表札や額縁状のモールなどの化粧を施している。なおこの実施例の場合、柱頭体２についても門柱本体１と各別意匠的に異なるものではなく、門柱本体１が上部に延長され、且つ笠木状の縁取り仕上げがされているものである。因みに邸内側にも、化粧を施すときには、外部側と同様にモチーフでのデザイン処理を行うことが好ましい。
【００２５】
また図１２に示すものは、前記図１１に示した実施例の変形態様であり、門柱構造体Ｐを構成するに当たり、各部材を別体構成として組み上げるようにしたものである。すなわち塀５の長手方向から見て、逆Ｌ字状の門柱本体１に対し、更に別体の枠本体１１を設けるようにし、更にそれらを全体を覆うような正面視逆Ｌ字状の笠木１７を被せるように構成したものである。この笠木１７を設けるにあたっては、その断面を前記塀５における笠木５３と同様に、補強機能を有する鉄筋１７Ａを側縁部に沿わせたものを用い、その強度を高めるように工夫することが好ましい。
【図面の簡単な説明】
【００２６】
【図１】本発明である門柱構造体を設置した状態を示す斜視図、並びに一部横断面図である。
【図２】同上縦断面図である。
【図３】同上横断面図である。
【図４】本発明である門柱構造体を示す縦断面図である。
【図５】本発明である門柱構造体の柱頭部を示す一部透視斜視図である。
【図６】本発明である門柱構造体の台座部分を示す分解斜視図である。
【図７】本発明である門柱構造体を設置した状態と、設置しない状態との間口寸法の比較を示す平面図である。
【図８】本発明である門柱構造体の柱頭部と、笠木と、塀との接続状態を示す縦断面図である。
【図９】本発明である門柱構造体の他の実施例を示す断面図である。
【図１０】本発明である門柱構造体の更に他の実施例を示す断面図である。
【図１１】本発明である門柱構造体の更に他の実施例を示す斜視図である。
【図１２】本発明である門柱構造体の更に他の実施例を示す斜視図である。
【図１３】従来の門柱を設置した状態と、設置前の状態との間口寸法の比較を示した断面図である。
【符号の説明】
【００２７】
１        門柱本体
１１      枠本体
１１Ａ    芯柱体
１１Ｂ    化粧側板
１１Ｃ    中央凹部
１２      塀端受入部
１３      閉鎖側板
１５      間口面
１６      補助化粧板
１７      笠木
１７Ａ    鉄筋
２        柱頭体
２１      柱頭基板
２２      柱頭胴枠
２２Ａ    窓部
２３      柱頭頂板
２５      門灯
３        台座
３１      礎台板
３２      化粧縁
３３      塀端受入部
５        塀
５１      塀本体
５２      塀端部
５３      笠木
５３Ａ    鉄筋
Ｄ        化粧幅寸法
Ｇ        受入寸法
Ｐ        門柱構造体
Ｗ        間口寸法
Ｗ１      所要間口寸法
Ｗ２      実効間口寸法
Ｗ３      実効間口寸法
【図１】
2008106581.tif 000003
【図２】
2008106581.tif 000004
【図３】
2008106581.tif 000005
【図４】
2008106581.tif 000006
【図５】
2008106581.tif 000007
【図６】
2008106581.tif 000008
【図７】
2008106581.tif 000009
【図８】
2008106581.tif 000010
【図９】
2008106581.tif 000011
【図１０】
2008106581.tif 000012
【図１１】
2008106581.tif 000013
【図１２】
2008106581.tif 000014
【図１３】
2008106581.tif 000015